(57)【要約】【課題】作業者の健康被害や作業環境の悪化を抑制することができる屋上スラブ切断装置を提供する。【解決手段】屋上スラブ切断装置は、長手方向を有する下段枠体と、屋上スラブを切断可能な回転刃を有する乾式の直動切断装置であって、下段枠体の内部に配置されるとともに、回転刃を下段枠体の長手方向に沿って直線状に移動可能に構成されている直動切断装置と、下段枠体上に少なくとも一部が載置されるとともに下段枠体に着脱可能に固定される上段枠体であって、下段枠体の長手方向の長さ寸法に対応する部分の長さ寸法が下段枠体の長手方向の長さ寸法よりも短く形成されている上段枠体と、直動切断装置により生じた粉じんの集じんを行う吸引装置と、下段枠体の上面及び側面を覆う下段枠体カバー部材と、を備える。【選択図】  図１
2019049152.tif 000002
【特許請求の範囲】
【請求項１】
長手方向を有する下段枠体と、
屋上スラブを切断可能な回転刃を有する乾式の直動切断装置であって、前記下段枠体の内部に配置されるとともに、前記回転刃を前記下段枠体の長手方向に沿って直線状に移動可能に構成されている直動切断装置と、
前記下段枠体上に少なくとも一部が載置されるとともに前記下段枠体に着脱可能に固定される上段枠体であって、前記下段枠体の長手方向の長さ寸法に対応する部分の長さ寸法が前記下段枠体の長手方向の長さ寸法よりも短く形成されている上段枠体と、
前記直動切断装置により生じた粉じんの集じんを行う吸引装置と、
前記下段枠体の上面及び側面を覆う下段枠体カバー部材と、を備える、
ことを特徴とする屋上スラブ切断装置。
【請求項２】
前記直動切断装置は、
前記回転刃と、
前記回転刃を回転可能に支持するとともに、前記回転刃を回転駆動させる回転刃駆動装置と、
前記回転刃駆動装置を前記下段枠体の長手方向に沿って直線状に移動可能に支持するとともに、前記下段枠体に固定される一本のレール部材と、を備えることを特徴とする請求項１に記載の屋上スラブ切断装置。
【請求項３】
前記回転刃駆動装置は、前記回転刃の高さ位置を調整可能に構成されていることを特徴とする請求項２に記載の屋上スラブ切断装置。
【請求項４】
前記直動切断装置は、前記回転刃の周囲を覆う回転刃カバー部材をさらに備えることを特徴とする請求項２又は３に記載の屋上スラブ切断装置。
【請求項５】
前記直動切断装置は、前記回転刃カバー部材と前記屋上スラブの床面との間を覆う第１カーテン部材をさらに備えることを特徴とする請求項４に記載の屋上スラブ切断装置。
【請求項６】
前記吸引装置は、前記回転刃カバー部材の下端における前記回転刃の移動方向の両側それぞれに設けられる第１吸引口を含むことを特徴とする請求項４又は５に記載の屋上スラブ切断装置。
【請求項７】
前記吸引装置は、前記下段枠体カバー部材に設けられる第２吸引口を含むことを特徴とする請求項１〜６のいずれか１項に記載の屋上スラブ切断装置。
【請求項８】
前記吸引装置は、前記上段枠体の内部に配置される吸引力発生装置であって、前記第１吸引口及び前記第２吸引口の少なくとも何れか一方における吸引力を発生させる吸引力発生装置を含むことを特徴とする請求項６又は７に記載の屋上スラブ切断装置。
【請求項９】
前記吸引装置は、
前記上段枠体の内部に配置されるサイクロン式の第１集じん装置と、
前記上段枠体の内部に配置されるとともに、前記第１集じん装置の下流側に配置されるフィルター式の第２集じん装置と、
前記上段枠体の内部に配置されるとともに、前記第２集じん装置の下流側に配置されるエアフィルター式の第３集じん装置と、を含むことを特徴とする請求項１〜８のいずれか１項に記載の屋上スラブ切断装置。
【請求項１０】
前記第１集じん装置は、着脱可能な第１集じん回収容器を有し、
前記第２集じん装置は、着脱可能な第２集じん回収容器を有することを特徴とする請求項９に記載の屋上スラブ切断装置。
【請求項１１】
前記下段枠体は、複数の支持脚により前記屋上スラブの床面上に支持され、
前記屋上スラブ切断装置は、前記下段枠体カバー部材と前記床面との間を覆う第２カーテン部材をさらに備えることを特徴とする請求項１〜１０のいずれか１項に記載の屋上スラブ切断装置。
【請求項１２】
前記直動切断装置及び前記吸引装置は、遠隔操作可能に構成されており、
前記屋上スラブ切断装置は、前記上段枠体の内部に配置される無線装置であって、前記直動切断装置及び前記吸引装置を遠隔操作するための無線装置をさらに備えることを特徴とする請求項１〜１１のいずれか１項に記載の屋上スラブ切断装置。
【請求項１３】
前記屋上スラブ切断装置は、前記回転刃による前記屋上スラブの切削状況を確認するための切削状況確認装置をさらに備え、
前記切削状況確認装置は、
前記回転刃の切削箇所近傍を撮影する撮像装置と、
前記回転刃の切削音を収集する集音装置と、の少なくともいずれか一つを含むことを特徴とする請求項１２に記載の屋上スラブ切断装置。
【請求項１４】
前記屋上スラブ切断装置は、前記上段枠体の内部に配置される駆動力発生装置であって、前記直動切断装置及び前記吸引装置の駆動力を発生させる駆動力発生装置をさらに備えることを特徴とする請求項１２又は１３に記載の屋上スラブ切断装置。
【請求項１５】
前記上段枠体は、
前記上段枠体の上方に設けられて前記上段枠体と玉掛け装置との連結時において前記玉掛け装置の位置決めを行うガイド部と、
前記上段枠体の上方に設けられて前記玉掛け装置との連結に用いられる開口を有する少なくとも一つの連結部と、を含むことを特徴とする請求項１〜１４のいずれか１項に記載の屋上スラブ切断装置。
【発明の詳細な説明】
【技術分野】
【０００１】
本開示は、屋上スラブを切断するのに用いられる屋上スラブ切断装置に関する。
【背景技術】
【０００２】
従来、建物の床版部材を解体する方法として、ブレードカッター装置の回転するブレードを切り込ませて床版部材を切断して、切断分離された床版部材と非分離側の床版部材にわたって複数の床版保持／吊下用部材を載置して、該床版保持／吊下用部材を切断分離された床版部材に接続した後に、床版保持／吊下用部材に形成された吊り孔に吊り上げ搬送用の索体を接続して、床版保持／吊下用部材とともに、切断分離した床版部材を吊り下げて搬送撤去するという方法がある（特許文献１参照）。
【０００３】
特許文献１には、建物の床版部材の解体作業の効率化を図るために、ブレードカッター装置の回転するブレードを切り込ませて床版部材を切断することで、騒音や振動の発生、粉じんの飛散を大幅に抑えることや、床版保持／吊下用部材に形成された吊り孔に吊り上げ搬送用の索体を接続することで、クレーンを用いて床版部材を吊上げて容易に搬送撤去できることなどが開示されている。
【０００４】
また、特許文献２には、建物の床版部材の解体や、屋上スラブを切断するのに用いられるものではないが、放射性物質に汚染されたコンクリート構造物を除染することを目的として、コンクリート表面を切削して、切削物を吸引回収するコンクリート用除染装置が開示されている。該コンクリート用除染装置は、揚重機により吊り下げられて除染対象部位へ移動することも開示されている。そして、該コンクリート用除染装置は、三層以上の層状の構成にすることで、装置全体のコンパクト化が図れることも開示されている。
【先行技術文献】
【特許文献】
【０００５】
【特許文献１】特開２０１４−２０１９３３号公報
【特許文献２】特許第６０２２８６５号公報
【発明の概要】
【発明が解決しようとする課題】
【０００６】
しかしながら、特許文献１において記載があるように、建物の解体作業時には、大きな騒音や振動が発生したり、粉じんが飛散したりするので、近隣や作業現場内に環境上の悪影響が大きい。このため、作業現場内の環境が、作業現場内で働く作業者の健康に与える悪影響も小さなものではない。
【０００７】
特に、建物の内部に放射性物質や化学性物質などの汚染物質が存在している場合には、屋上スラブを解体する際に、作業現場内の環境や作業者の健康に悪影響を与える虞がある。
【０００８】
上述の事情に鑑みて、本発明の少なくとも一実施形態は、作業者の健康被害や作業環境の悪化を抑制することができる屋上スラブ切断装置を提供することを目的とする。
【課題を解決するための手段】
【０００９】
（１）本発明の少なくとも一実施形態に係る屋上スラブ切断装置は、
長手方向を有する下段枠体と、
屋上スラブを切断可能な回転刃を有する乾式の直動切断装置であって、前記下段枠体の内部に配置されるとともに、前記回転刃を前記下段枠体の長手方向に沿って直線状に移動可能に構成されている直動切断装置と、
前記下段枠体上に少なくとも一部が載置されるとともに前記下段枠体に着脱可能に固定される上段枠体であって、前記下段枠体の長手方向の長さ寸法に対応する部分の長さ寸法が前記下段枠体の長手方向の長さ寸法よりも短く形成されている上段枠体と、
前記直動切断装置により生じた粉じんの集じんを行う吸引装置と、
前記下段枠体の上面及び側面を覆う下段枠体カバー部材と、を備える。
【００１０】
上記（１）の構成によれば、屋上スラブ切断装置は、長手方向を有する下段枠体と、下段枠体上に少なくとも一部が載置されるとともに下段枠体に着脱可能に固定される上段枠体と、を備えているので、例えば荷台を有する車両などにより屋上スラブ切断装置を搬送する際には、上段枠体と下段枠体との二つに分離することができる。このため、上段枠体と下段枠体のそれぞれを上述した荷台の適切な位置に載せたり、別個の車両に載せたりすることができるので、荷台における収容空間の利用の効率化を図れる。荷台における収容空間の利用の効率化を図れるので、その分だけ、下段枠体の長手方向の長さ寸法を大きなものにすることができる。
【００１１】
そして、屋上スラブ切断装置は、上段枠体における下段枠体の長手方向の長さ寸法に対応する部分の長さ寸法が、下段枠体の長手方向の長さ寸法よりも短い。換言すると、屋上スラブ切断装置は、下段枠体の長手方向の長さ寸法が、上段枠体における下段枠体の長手方向の長さ寸法に対応する部分の長さ寸法よりも長い。さらに、屋上スラブ切断装置は、下段枠体の内部に、回転刃を下段枠体の長手方向に沿って直線状に移動可能な直動切断装置を備えている。この屋上スラブ切断装置は、一回に長距離を切断できるので、載置回数を少なくすることができる。また、屋上スラブ切断装置の載置回数が少ないと、載置にかかる時間を少なくなるので、その分だけ、作業者の健康被害を抑制することができる。
【００１２】
また、上記の構成によれば、屋上スラブ切断装置は、直動切断装置が内部に配置される下段枠体の上面及び側面を覆う下段枠体カバー部材と、直動切断装置により生じる粉じんの集じんを行う吸引装置と、を備えるので、直動切断装置により屋上スラブを切断する際に生じる粉じんが下段枠体の外部に飛散することを抑制することができる。また、屋上スラブ切断装置は、下段枠体カバー部材を備えることにより、屋上スラブを有する建築構造物の内部環境が、屋上スラブの切断によって、下段枠体の外部に直接的に影響を与えることを妨げることができる。このため、上記の構成によれば、作業者の健康被害や作業環境の悪化を抑制することができる。
【００１３】
したがって、上記の構成によれば、作業者の健康被害や作業環境の悪化を抑制することができる。
【００１４】
（２）幾つかの実施形態では、上記（１）の構成において、
前記直動切断装置は、
前記回転刃と、
前記回転刃を回転可能に支持するとともに、前記回転刃を回転駆動させる回転刃駆動装置と、
前記回転刃駆動装置を前記下段枠体の長手方向に沿って直線状に移動可能に支持するとともに、前記下段枠体に固定される一本のレール部材と、を備える。
【００１５】
上記（２）の構成によれば、直動切断装置は、回転刃、回転刃駆動装置及び一本のレール部材を備えている。そして、回転刃駆動装置は、回転刃を回転可能に支持するとともに、回転刃を回転駆動させるものである。また、一本のレール部材は、回転刃駆動装置を下段枠体の長手方向に沿って直線状に移動可能に支持するものである。このような直動切断装置は、回転刃が回転刃駆動装置により回転駆動して、回転刃がレール部材に支持される回転刃駆動装置と一緒に移動して、下段枠体の長手方向に沿って直線状に切削することにより、屋上スラブを直線状に切断することができる。ここで、回転刃により屋上スラブを切削する際には、回転刃は屋上スラブから反力を受けて屋上スラブに対して位置ずれするおそれがある。しかしながら、直動切断装置を備える屋上スラブ切断装置は、回転刃が回転刃駆動装置に回転可能に支持され、かつ、回転刃駆動装置が下段枠体に固定されるレール部材に支持されているので、下段枠体や下段枠体上に載置される上段枠体の自重により上述した反力に対抗することができる。このため、上記の構成によれば、回転刃の位置ずれを抑制することができ、効率的に屋上スラブを切削することができる。
【００１６】
（３）幾つかの実施形態では、上記（２）の構成において、
前記回転刃駆動装置は、前記回転刃の高さ位置を調整可能に構成されている。
上記（３）の構成によれば、回転刃駆動装置は、回転刃の高さ位置を調整可能に構成されているので、回転刃の高さ位置を徐々に低くして段階的に屋上スラブを切削することができる。このため、回転刃駆動装置は、回転刃による切削により生じる回転刃が屋上スラブから受ける反力が過大になるのを防止することができるので、回転刃の位置ずれを抑制することができ、効率的に屋上スラブを切削することができる。
【００１７】
（４）幾つかの実施形態では、上記（２）又は（３）の構成において、
前記直動切断装置は、前記回転刃の周囲を覆う回転刃カバー部材をさらに備える。
上記（４）の構成によれば、直動切断装置は、回転刃の周囲を覆う回転刃カバー部材を備えるので、回転刃により屋上スラブを切断する際に生じる粉じんが、回転刃カバー部材の外部に飛散することを抑制することができる。
【００１８】
（５）幾つかの実施形態では、上記（４）の構成において、
前記直動切断装置は、前記回転刃カバー部材と前記屋上スラブの床面との間を覆う第１カーテン部材をさらに備える。
上記（５）の構成によれば、直動切断装置は、回転刃カバー部材と屋上スラブの床面との間を覆う第１カーテン部材を備えるので、回転刃により屋上スラブを切断する際に生じる粉じんが、回転刃カバー部材と屋上スラブの床面との間から回転刃カバー部材の外部に飛散することを抑制することができる。
【００１９】
（６）幾つかの実施形態では、上記（４）又は（５）の構成において、
前記吸引装置は、前記回転刃カバー部材の下端における前記回転刃の移動方向の両側それぞれに設けられる第１吸引口を含む。
【００２０】
上記（６）の構成によれば、吸引装置は、回転刃の移動方向の両側それぞれに設けられる第１吸引口から粉じんを吸引することにより集じんを行う。ここで、回転刃により屋上スラブの切断は上向き切削により行われるので、回転刃により屋上スラブを切断する際に生じる粉じんは、回転刃の移動方向の進行側に大部分が生じる。これらの粉じんは、回転刃の移動方向の進行側に設けられる第１吸引口から吸引装置により集じんされる。また、回転刃の移動方向の進行側に設けられる第１吸引口から吸引されなかった集じん、回転刃の進行方向に沿って屋上スラブの切断縁近傍に生じた集じん、及び、回転刃カバー部材により飛散が抑制された集じんなどは、回転刃の移動方向の進行側とは反対側に設けられる第１吸引口から吸引装置により集じんされる。特に、一対の第１吸引口は、いずれも回転刃カバー部材の下端に設けられているので、吸引装置は、回転刃により生じる粉じんを即座に効率よく集じんすることができる。
【００２１】
（７）幾つかの実施形態では、上記（１）〜（６）の構成において、
前記吸引装置は、前記下段枠体カバー部材に設けられる第２吸引口を含む。
上記（７）の構成によれば、吸引装置は、下段枠体カバー部材に設けられる第２吸引口から回転刃により屋上スラブを切断する際に生じる粉じんを吸引することにより集じんを行う。このため、屋上スラブ切断装置は、粉じんが下段枠体の外部に飛散することを抑制することができる。
【００２２】
（８）幾つかの実施形態では、上記（６）又は（７）の構成において、
前記吸引装置は、前記上段枠体の内部に配置される吸引力発生装置であって、前記第１吸引口及び前記第２吸引口の少なくとも何れか一方における吸引力を発生させる吸引力発生装置を含む。
【００２３】
上記（８）の構成によれば、吸引装置は、第１吸引口や第２吸引口における吸引力を発生させる吸引力発生装置を含んでいるので、吸引力により第１吸引口や第２吸引口から粉じんを集じんすることができる。また、吸引力発生装置は、上段枠体の内部に配置されるので、自重を回転刃が切削時に受ける反力に対抗させる力とすることができる。
【００２４】
（９）幾つかの実施形態では、上記（１）〜（８）の構成において、
前記吸引装置は、
前記上段枠体の内部に配置されるサイクロン式の第１集じん装置と、
前記上段枠体の内部に配置されるとともに、前記第１集じん装置の下流側に配置されるフィルター式の第２集じん装置と、
前記上段枠体の内部に配置されるとともに、前記第２集じん装置の下流側に配置されるエアフィルター式の第３集じん装置と、を含む。
【００２５】
上記（９）の構成によれば、吸引装置は、サイクロン式の第１集じん装置、フィルター式の第２集じん装置、エアフィルター式の第３集じん装置の順に三段階にわたって集じんを行うことができるので、吸引装置から外部に排出される空気に含まれる集じんの量を少なくすることができる。また、第１集じん装置、第２集じん装置及び第３集じん装置は、上段枠体の内部に配置されるので、これらの装置の自重を回転刃が切削時に受ける反力に対抗させる力とすることができる。
【００２６】
（１０）幾つかの実施形態では、上記（９）の構成において、
前記第１集じん装置は、着脱可能な第１集じん回収容器を有し、
前記第２集じん装置は、着脱可能な第２集じん回収容器を有する。
【００２７】
上記（１０）の構成によれば、吸引装置は、第１集じん装置、第２集じん装置、第３集じん装置の順に三段階にわたって集じんを行う。そして、粉じんが溜まりやすい第１集じん装置や第２集じん装置は、着脱可能な第１集じん回収容器や第２集じん回収容器の内部に粉じんを溜めることができる。そして、第１集じん回収容器や第２集じん回収容器の内部に所定量の粉じんが溜まった場合には、作業者は、これらの集じん回収容器を新しいものに交換すればよいので、集じん回収容器の交換時に粉じんが第１集じん回収容器や第２集じん回収容器から外部に飛散することを防止することができる。
【００２８】
（１１）幾つかの実施形態では、上記（１）〜（１０）の構成において、
前記下段枠体は、複数の支持脚により前記屋上スラブの床面上に支持され、
前記屋上スラブ切断装置は、前記下段枠体カバー部材と前記床面との間を覆う第２カーテン部材をさらに備える。
上記（１１）の構成によれば、屋上スラブ切断装置は、下段枠体カバー部材と屋上スラブの床面との間を覆う第２カーテン部材を備えるので、回転刃により屋上スラブを切断する際に生じる粉じんが、下段枠体カバー部材と屋上スラブの床面との間から下段枠体カバー部材の外部に飛散することを抑制することができる。
【００２９】
（１２）幾つかの実施形態では、上記（１）〜（１１）の構成において、
前記直動切断装置及び前記吸引装置は、遠隔操作可能に構成されており、
前記屋上スラブ切断装置は、前記上段枠体の内部に配置される無線装置であって、前記直動切断装置及び前記吸引装置を遠隔操作するための無線装置をさらに備える。
上記（１２）の構成によれば、屋上スラブ切断装置は、上段枠体の内部に配置される無線装置により直動切断装置や吸引装置を遠隔操作可能に構成されているので、作業者は屋上スラブ切断装置から離れた所から遠隔操作により、屋上スラブを切断することができる。このため、作業者の健康被害や作業環境の悪化を抑制することができる。
【００３０】
（１３）幾つかの実施形態では、上記（１２）の構成において、
前記屋上スラブ切断装置は、前記回転刃による前記屋上スラブの切削状況を確認するための切削状況確認装置をさらに備え、
前記切削状況確認装置は、
前記回転刃の切削箇所近傍を撮影する撮像装置と、
前記回転刃の切削音を収集する集音装置と、の少なくともいずれか一つを含む。
上記（１３）の構成によれば、屋上スラブ切断装置は、回転刃による屋上スラブの切削状況を確認するための切削状況確認装置を備えている。そして、切削状況確認装置は、回転刃の切削箇所近傍を撮影する撮像装置や、回転刃の切削音を収集する集音装置を含んでいる。このため、作業者は、屋上スラブ切断装置から離れた所から切削状況確認装置により回転刃による屋上スラブの切削状況を確認することができるので、遠隔操作により屋上スラブを効率的に切断することができる。
【００３１】
（１４）幾つかの実施形態では、上記（１２）又は（１３）の構成において、
前記屋上スラブ切断装置は、前記上段枠体の内部に配置される駆動力発生装置であって、前記直動切断装置及び前記吸引装置の駆動力を発生させる駆動力発生装置をさらに備える。
上記（１４）の構成によれば、屋上スラブ切断装置は、直動切断装置や吸引装置の駆動力を発生させる駆動力発生装置を上段枠体の内部に備えているので、屋上スラブ切断装置は、例えば揚重機による搬送先において直動切断装置や吸引装置を駆動させることができる。上記の構成によれば、作業者は、屋上スラブ切断装置が作業者から離れた遠隔地に配置された場合においても、直動切断装置や吸引装置を駆動させることができる。
【００３２】
（１５）幾つかの実施形態では、上記（１）〜（１４）の構成において、
前記上段枠体は、
前記上段枠体の上方に設けられて前記上段枠体と玉掛け装置との連結時において前記玉掛け装置の位置決めを行うガイド部と、
前記上段枠体の上方に設けられて前記玉掛け装置との連結に用いられる開口を有する少なくとも一つの連結部と、を含む。
上記（１５）の構成によれば、上段枠体は、玉掛け装置との連結時において玉掛け装置の位置決めを行うガイド部や、玉掛け装置との連結に用いられる開口を有する連結部を含むものであるので、屋上スラブ切断装置と玉掛け装置との位置合わせや連結を容易に行うことができる。
【発明の効果】
【００３３】
本発明の少なくとも一実施形態によれば、作業者の健康被害や作業環境の悪化を抑制することができる屋上スラブ切断装置が提供される。
【図面の簡単な説明】
【００３４】
【図１】本発明の一実施形態にかかる屋上スラブ切断装置の正面図を概略的に示す概略正面図である。
【図２】図１に示す屋上スラブ切断装置の上面図を概略的に示す概略上面図である。
【図３】図１に示す屋上スラブ切断装置の右側面図を概略的に示す概略右側面図である。
【図４】図１に示す屋上スラブ切断装置を用いる、屋上スラブの解体方法の一例を示すフローチャートである。
【図５】本発明の一実施形態における直動切断装置が屋上スラブを切断する状態を概略的に示す概略図である。
【図６】図５に示す直動切断装置における回転刃を覆う回転刃カバー部材と、吸引装置の第１吸引口と、を説明するための図であって、回転刃カバー部材の一部を取外した状態を示す図である。
【図７】本発明の一実施形態における吸引装置のシステム構成図であって、第１吸引口から吸引された空気中に含まれる粉じんの除去について説明するための図である。
【図８】本発明の一実施形態における吸引装置のシステム構成図であって、第２吸引口から吸引された空気中に含まれる粉じんの除去について説明するための図である。
【図９】本発明の一実施形態にかかる屋上スラブ切断装置の制御システムの構成図を概略的に示す概略図である。
【図１０】本発明の一実施形態にかかる屋上スラブ切断装置における切削状況確認装置を説明するための説明図である。
【図１１】本発明の一実施形態にかかる屋上スラブ切断装置に連結される玉掛け装置の斜視図を概略的に示す概略斜視図である。
【図１２】本発明の一実施形態にかかる屋上スラブ切断装置と玉掛け装置との連結を説明するための説明図である。
【発明を実施するための形態】
【００３５】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３６】
図１は、本発明の一実施形態にかかる屋上スラブ切断装置の正面図を概略的に示す概略正面図である。図２は、図１に示す屋上スラブ切断装置の上面図を概略的に示す概略上面図である。図３は、図１に示す屋上スラブ切断装置の右側面図を概略的に示す概略右側面図である。図４は、図１に示す屋上スラブ切断装置を用いる、屋上スラブの解体方法の一例を示すフローチャートである。まず、図４を用いて、屋上スラブ切断装置１を用いる屋上スラブ解体方法１９について説明する。
【００３７】
屋上スラブ解体方法１９は、図４に示されるような、屋上スラブ吊孔穿孔工程Ｓ１０と、屋上スラブ切断工程Ｓ２０と、アンカープレート設置工程Ｓ３０と、固定ピン固定工程Ｓ４０と、縁切り確認工程Ｓ５０と、スラブブロック移送工程Ｓ６０と、を含んでいる。屋上スラブ吊孔穿孔工程Ｓ１０は、屋上スラブ２０を穿孔して移送用の吊孔を形成する工程である。屋上スラブ切断工程Ｓ２０は、屋上スラブ２０を縦横に切断して略矩形の板状のスラブブロックを形成する工程である。アンカープレート設置工程Ｓ３０は、該スラブブロック上にアンカープレートを設置する工程である。
【００３８】
そして、固定ピン固定工程Ｓ４０は、吊孔を挿通する固定ピンによりアンカープレートをスラブブロックに固定する工程である。縁切り確認工程Ｓ５０は、スラブブロックを屋上スラブより上方に持ち上げた後に下げて、スラブブロックの縁切りを確認する工程である。スラブブロック移送工程Ｓ６０は、アンカープレートにスラブブロック吊上げ装置を連結した後にスラブブロックをアンカープレート及びスラブブロック吊上げ装置と一緒に揚重機で吊上げて他の移送先に移送する工程である。
【００３９】
屋上スラブ切断装置１は、屋上スラブ解体方法１９の屋上スラブ切断工程Ｓ２０において、屋上スラブ２０を縦横に切断して略矩形の板状のスラブブロックを形成するのに用いられるものである。以下、屋上スラブ切断装置１が備える各々の構成について、それぞれ説明する。
【００４０】
図１〜図１２に示される実施形態では、屋上スラブ切断装置１は、図１〜３、５、１０に示されるような、下段枠体２と、上段枠体４と、下段枠体カバー部材６と、を備えている。
【００４１】
下段枠体２は、図１〜３、５、１０に示されるような、下段枠本体２１と、下段枠本体２１の下部に固定される複数の支持脚２２と、後述するレール部材３３を支持する支持部材２３と、を含んでいる。下段枠本体２１は、鉛直方向に沿って長手方向を有する複数の縦枠部材２１ａと、水平方向に沿って長手方向を有する複数の横枠部材２１ｂと、が複数組み合われて互いに連結固定されることにより、図１中左右方向に沿って長手方向を有する略直方体状に形成されている。ここで、縦枠部材２１ａ及び横枠部材２１ｂには、例えば四角筒状の鋼管や、Ｉ形鋼、Ｌ形鋼などの形鋼が用いられる。また、支持脚２２は、屋上スラブ２０の床面２０ａ上に載置されるものであって、下段枠本体２１を下側から支持するものである。幾つかの実施形態では、支持脚２２は、自身の長さ寸法を変更可能に設けられている。この場合には、床面２０ａに不陸がある場合であっても、下段枠本体２１が水平になるように支持することができる。
【００４２】
上段枠体４は、図１〜３に示されるような、下段枠体２上に少なくとも一部が載置されており、下段枠体２に着脱可能に固定されている。より具体的には、上段枠体４は、図１〜３に示されるような、上段枠本体４１と、上段枠本体４１の下部に固定される複数の支持脚４２と、を含んでいる。そして、上段枠本体４１は、鉛直方向に沿って長手方向を有する複数の縦枠部材４１ａと、水平方向に沿って長手方向を有する複数の横枠部材４１ｂと、が複数組み合われて互いに連結固定されることにより構成されている。
【００４３】
上段枠本体４１は、図２、３に示されるような、下段枠本体２１上に載置される略直方体状に形成されている第１上段枠本体部４１ｃと、上述した下段枠体２の長手方向に垂直な水平方向に沿って第１上段枠本体部４１ｃに隣接して配置される、略直方体状に形成されている第２上段枠本体部４１ｄと、を含んでいる。上段枠体４は、下段枠体２の長手方向（図１中左右方向）の長さ寸法に対応する部分の長さ寸法が下段枠体２の長手方向の長さ寸法よりも短く形成されている。そして、上段枠体４は、第１上段枠本体部４１ｃが下段枠体２の下段枠本体２１の長手方向の中央部の上に載置されている。
【００４４】
第１上段枠本体部４１ｃは、第２上段枠本体部４１ｄと一体的に設けられるとともに、例えばボルトやナットなどの締結手段により下段枠本体２１に着脱可能に固定されている。また、支持脚４２は、屋上スラブ２０の床面２０ａ上に載置されるものであって、第２上段枠本体部４１ｄを下側から支持するものである。幾つかの実施形態では、支持脚４２は、自身の長さ寸法を変更可能に設けられている。この場合には、床面２０ａに不陸がある場合であっても、上段枠本体４１が水平になるように支持することができる。
【００４５】
下段枠体カバー部材６は、図１〜３、５、１０に示されるような、板状に形成されており、下段枠体２の上面及び四方の側面のそれぞれに取付けられることにより、下段枠体２の上面及び四方の側面を覆うものである。
【００４６】
また、屋上スラブ切断装置１は、図５、６に示されるような、下段枠体２の内部に配置される乾式の直動切断装置３をさらに備えている。ここで、図５は、本発明の一実施形態における直動切断装置が屋上スラブを切断する状態を概略的に示す概略図である。図６は、図５に示す直動切断装置における回転刃を覆う回転刃カバー部材と、吸引装置の第１吸引口と、を説明するための図であって、回転刃カバー部材の一部を取外した状態を示す図である。
【００４７】
直動切断装置３は、屋上スラブ２０を切断可能な回転刃３１を有しており、回転刃３１を下段枠体２の長手方向に沿って直線状に移動可能に構成されている。より具体的には、直動切断装置３は、回転刃３１と、回転刃駆動装置３２と、レール部材３３と、を備えている。回転刃３１は、外周部の全周にわたって切削刃３１ａを有する円板状に形成されている。
【００４８】
回転刃駆動装置３２は、回転刃３１を回転可能に支持するとともに、回転刃３１を回転駆動させるものである。また、回転刃駆動装置３２は、回転刃３１の高さ位置を調整可能に構成されている。より具体的には、回転刃駆動装置３２は、図５に示されるような、回転刃支持部３２ａと駆動源内蔵部３２ｂとを有するものである。そして、回転刃駆動装置３２は、図５に示されるような、回転刃３１の中心部に一端部が一体的に固定される回転軸３２ｃと、回転刃支持部３２ａ内に設けられて、内部に挿入された回転軸３２ｃの他端部を回転自在に支持する不図示の軸受と、駆動源内蔵部３２ｂ内に配置されて、回転刃３１を回転駆動させるための不図示の回転駆動用駆動源と、回転刃支持部３２ａと駆動源内蔵部３２ｂとにわたってそれらの内部に設けられて、回転軸３２ｃを介して回転駆動用駆動源の駆動力を回転刃３１に伝達させる不図示の駆動力伝達部材と、を備えている。ここで、回転駆動用駆動源にはモータが含まれる。また、駆動力伝達部材には、プーリーやベルト、歯車などが含まれる。
【００４９】
また、回転刃駆動装置３２は、駆動源内蔵部３２ｂに対して、回転刃支持部３２ａを回転させることにより、上述した不図示の軸受を上下方向に沿って移動させる不図示の回転直動変換機構部（高さ位置調整機構部）をさらに備えている。
【００５０】
また、回転刃駆動装置３２は、図５に示されるような、レール部材３３上に敷設されるラック３３ａに噛合されるピニオン３２ｄと、駆動源内蔵部３２ｂ内に配置されて、ピニオン３２ｄを回転駆動する不図示のレール部材移動用駆動源と、をさらに備えている。ここで、レール部材移動用駆動源にはモータや、空圧、油圧等のアクチュエータが含まれる。
【００５１】
レール部材３３は、下段枠体２に固定されて、回転刃駆動装置３２を下段枠体２の長手方向に沿って直線状に移動可能に支持するものである。より具体的には、レール部材３３は、図５に示されるような、下段枠体２の長手方向に沿って長手方向を有する長尺状に形成されており、その長さ途中を、互いに下段枠体２の長さ方向に間隔を置いて配置される複数の支持部材２３により支持されている。支持部材２３は、下段枠体２の縦枠部材２１ａに一端部が固定されており、他端部が水平方向に沿って延在している。レール部材３３は、支持部材２３の他端部上に固定されている。そして、レール部材３３は、レール部材３３の長手方向に沿ってレール部材３３上に回転刃駆動装置３２のピニオン３２ｄに噛合されるラック３３ａが敷設されている。そして、レール部材３３は、回転刃駆動装置３２の駆動源内蔵部３２ｂを下側から支持している。
【００５２】
また、直動切断装置３は、図６に示されるような、回転刃カバー部材３４と、第１カーテン部材３５と、をさらに備えている。回転刃カバー部材３４は、図６に示されるような、複数の板状部材が組合わされることにより構成されており、回転刃３１の下部を除き、回転刃３１の厚さ方向の両面及び回転刃３１の外周面を覆うものである。第１カーテン部材３５は、図６に示されるような、回転刃カバー部材３４と屋上スラブ２０の床面２０ａとの間を覆うものであって、回転刃カバー部材３４の、回転刃３１の厚さ方向の両面を覆う両面それぞれの下部に上端部が固定され、下端部が屋上スラブ２０の床面２０ａに接触するようになっている。
【００５３】
幾つかの実施形態においては、屋上スラブ切断装置１は、図１、３に示されるような、第２カーテン部材７をさらに備えている。第２カーテン部材７は、図１、３に示されるような、下段枠体２の四方の側面に取付けられた下段枠体カバー部材６と屋上スラブ２０の床面２０ａとの間を覆うものであって、下段枠体２又は下段枠体カバー部材６の下部に上端部が固定され、下端部が屋上スラブ２０の床面２０ａに接触するようになっている。
【００５４】
また、他の幾つかの実施形態では、第１カーテン部材３５及び第２カーテン部材７は、少なくとも下端部側に弾性力を有する板状部材が設けられ、該板状部材の下端面が床面２０ａに当接するようになっている。この場合には、回転刃カバー部材３４や下段枠体２の四方の側面に取付けられた下段枠体カバー部材６と、屋上スラブ２０の床面２０ａと、の間に隙間が生じるのを抑制することができる。
【００５５】
また、屋上スラブ切断装置１は、図１〜３、５〜８に示されるような、直動切断装置３が屋上スラブ２０を切断することにより生じた粉じんの集じんを行う吸引装置５をさらに備えている。ここで、図７は、本発明の一実施形態における吸引装置のシステム構成図であって、第１吸引口から吸引された空気中に含まれる粉じんの除去について説明するための図である。図８は、本発明の一実施形態における吸引装置のシステム構成図であって、第２吸引口から吸引された空気中に含まれる粉じんの除去について説明するための図である。
【００５６】
幾つかの実施形態では、吸引装置５は、図５〜８に示されるような、吸引力発生装置５１と、第１吸引口５２ａを有する回転刃カバー側配管５２と、第２吸引口５３ａを有する下段枠体カバー側配管５３と、を含んでいる。そして、回転刃カバー側配管５２の途中に吸引力発生装置５１が設けられている。また、下段枠体カバー側配管５３の途中にも吸引力発生装置５１が設けられている。
【００５７】
ここで、吸引力発生装置５１は、第１吸引口５２ａ及び第２吸引口５３ａの少なくとも何れか一方における吸引力を発生させて粉じんを含む空気を吸引するものである。また、吸引力発生装置５１は、吸引された空気を回転刃カバー側配管５２及び下段枠体カバー側配管５３の下流側に送り込み、回転刃カバー側配管５２及び下段枠体カバー側配管５３の途中に設けられて、吸引力発生装置５１の上流側に配置される後述する第１集じん装置５４〜第５集じん装置５８を強制的に通過させるものである。そして、吸引力発生装置５１は、図１、３、７、８に示されるような、ブロワー５１ａを含んでいる。
【００５８】
幾つかの実施形態では、吸引装置５は、図７に示されるような、第１吸引口５２ａの下流側に配置されるサイクロン式の第１集じん装置５４と、第１集じん装置５４の下流側に配置されるフィルター式の第２集じん装置５５と、第２集じん装置５５の下流側に配置されるエアフィルター式の第３集じん装置５６と、を含んでいる。第１集じん装置５４、第２集じん装置５５及び第３集じん装置５６は、図７に示されるような、上段枠体４の内部に配置されている。
【００５９】
第１集じん装置５４は、図７に示されるような、空気中に含まれる粉じんを遠心分離する第１集じん装置本体５４ａと、第１集じん装置本体５４ａの下方に設けられて、第１集じん装置本体５４ａ下部の排出部に連通して第１集じん装置本体５４ａで遠心分離された粉じんを回収する箱状の第１集じん回収容器５４ｂと、を有するものである。そして、第１集じん回収容器５４ｂは、第１集じん装置本体５４ａに対して着脱可能に設けられている。
【００６０】
第２集じん装置５５は、図７に示されるような、バグフィルタを有するバグフィルタ装置を含むものであって、内部に装着される繊維状のフィルター（ろ布）で粉じんをろ過して分離する第２集じん装置本体５５ａと、第２集じん装置本体５５ａで分離された粉じんを回収する箱状の第２集じん回収容器５５ｂと、を有するものである。そして、第２集じん回収容器５５ｂは、第２集じん装置本体５５ａに対して着脱可能に設けられている。また、第２集じん装置本体５５ａは、図７に示されるような、その内部に連通するようにエアコンプレッサー５９が接続され、エアコンプレッサー５９により圧縮された加圧空気によって、上述した繊維状のフィルターに補足された粉じんが払い落とされる。
【００６１】
第３集じん装置５６は、図７に示されるような、ＨＥＰＡフィルターを有するＨＥＰＡフィルター装置を含むものであって、第１集じん装置５４及び第２集じん装置５５を通過した僅かな集じんをより高精度で分離回収するものである。第３集じん装置５６は、内部のフィルターの交換時期を判断するために用いられる差圧計５ａが取付けられており、差圧計５ａにより内部のフィルター通過前の空気とフィルター通過後の空気との差圧（フィルターの圧力損失）が測定されている。また、第３集じん装置５６を通過した空気は、サイレンサー５ｂを通過した後に外気に放出される。
【００６２】
また、幾つかの実施形態では、吸引装置５は、図８に示されるような、第２吸引口５３ａの下流側に配置される第４集じん装置５７と、第４集じん装置５７の下流側に配置されるエアフィルター式の第５集じん装置５８と、を含んでいる。第４集じん装置５７、第５集じん装置５８は、図１、２に示されるような、上段枠体４の内部に設けられる直方体状の収納容器１２の内部に収納されている。
【００６３】
第４集じん装置５７は、図８に示されるような、プレフィルターを有するプレフィルター装置を含むものであって、粉じんを除去することにより第５集じん装置５８内部のフィルターを保護して、該フィルターの長寿命化を図るものである。
【００６４】
第５集じん装置５８は、図８に示されるような、ＨＥＰＡフィルターを有するＨＥＰＡフィルター装置を含むものであって、第４集じん装置５７を通過した僅かな集じんをより高精度で分離回収するものである。第５集じん装置５８は、第３集じん装置５６と同様に差圧計５ａが取付けられている。また、第５集じん装置５８を通過した空気は、サイレンサー５ｂを通過した後に外気に放出される。
【００６５】
幾つかの実施形態では、屋上スラブ切断装置１は、図１〜３、５〜１０に示されるような、上述した下段枠体２と、上述した回転刃３１を有する直動切断装置３と、上述した上段枠体４と、上述した吸引装置５と、上述した下段枠体カバー部材６と、を備えている。
【００６６】
上記の構成によれば、屋上スラブ切断装置１は、長手方向を有する下段枠体２と、下段枠体２上に少なくとも一部が載置されるとともに下段枠体２に着脱可能に固定される上段枠体４と、を備えているので、例えば荷台を有する車両などにより屋上スラブ切断装置１を搬送する際には、上段枠体４と下段枠体２との二つに分離することができる。このため、上段枠体４と下段枠体２のそれぞれを上述した荷台の適切な位置に載せたり、別個の車両に載せたりすることができるので、荷台における収容空間の利用の効率化を図れる。そして、荷台における収容空間の利用の効率化を図れるので、その分だけ、下段枠体２の長手方向の長さ寸法を大きなものにすることができる。
【００６７】
そして、屋上スラブ切断装置１は、上段枠体４における下段枠体２の長手方向の長さ寸法に対応する部分の長さ寸法が、下段枠体２の長手方向の長さ寸法よりも短い。換言すると、屋上スラブ切断装置１は、下段枠体２の長手方向の長さ寸法が、上段枠体４における下段枠体２の長手方向の長さ寸法に対応する部分の長さ寸法よりも長い。さらに、屋上スラブ切断装置１は、下段枠体２の内部に、回転刃３１を下段枠体２の長手方向に沿って直線状に移動可能な直動切断装置３を備えている。この屋上スラブ切断装置１は、一回に長距離を切断できるので、載置回数を少なくすることができる。また、屋上スラブ切断装置１の載置回数が少ないと、載置にかかる時間を少なくなるので、その分だけ、作業者の健康被害を抑制することができる。
【００６８】
また、上記の構成によれば、屋上スラブ切断装置１は、直動切断装置３が内部に配置される下段枠体２の上面及び側面を覆う下段枠体カバー部材６と、直動切断装置３により生じる粉じんの集じんを行う吸引装置５と、を備えるので、直動切断装置３により屋上スラブ２０を切断する際に生じる粉じんが下段枠体２の外部に飛散することを抑制することができる。また、屋上スラブ切断装置１は、下段枠体カバー部材６を備えることにより、屋上スラブ２０を有する建築構造物の内部環境が、屋上スラブ２０の切断によって、下段枠体２の外部に直接的に影響を与えることを妨げることができる。このため、上記の構成によれば、作業者の健康被害や作業環境の悪化を抑制することができる。
【００６９】
また、他の幾つかの実施形態では、直動切断装置３は、図５、６に示されるような、上述した回転刃３１と、上述した回転刃駆動装置３２と、上述した一本のレール部材３３と、を備えている。
【００７０】
上記の構成によれば、直動切断装置３は、上述した回転刃３１、上述した回転刃駆動装置３２及び上述した一本のレール部材３３を備えている。そして、回転刃駆動装置３２は、回転刃３１を回転可能に支持するとともに、回転刃３１を回転駆動させるものである。また、一本のレール部材３３は、回転刃駆動装置３２を下段枠体２の長手方向に沿って直線状に移動可能に支持するものである。このような直動切断装置３は、回転刃３１が回転刃駆動装置３２により回転駆動して、回転刃３１がレール部材３３に支持される回転刃駆動装置３２と一緒に移動して、下段枠体２の長手方向に沿って直線状に切削することにより、屋上スラブ２０を直線状に切断することができる。ここで、回転刃３１により屋上スラブ２０を切削する際には、回転刃３１は屋上スラブ２０から反力を受けて屋上スラブ２０に対して位置ずれするおそれがある。しかしながら、直動切断装置３を備える屋上スラブ切断装置１は、回転刃３１が回転刃駆動装置３２に回転可能に支持され、かつ、回転刃駆動装置３２が下段枠体２に固定されるレール部材３３に支持されているので、下段枠体２や下段枠体２上に載置される上段枠体４の自重により上述した反力に対抗することができる。このため、上記の構成によれば、回転刃３１の位置ずれを抑制することができ、効率的に屋上スラブ２０を切削することができる。
【００７１】
また、他の幾つかの実施形態では、回転刃駆動装置３２は、図５、６に示されるような、上述した回転刃３１の高さ位置を調整可能に構成されている。この場合には、回転刃駆動装置３２は、回転刃３１の高さ位置を調整可能に構成されているので、回転刃３１の高さ位置を徐々に低くして段階的に屋上スラブ２０を切削することができる。このため、回転刃駆動装置３２は、回転刃３１による切削により生じる回転刃３１が屋上スラブ２０から受ける反力が過大になるのを防止することができるので、回転刃３１の位置ずれを抑制することができ、効率的に屋上スラブ２０を切削することができる。
【００７２】
また、他の幾つかの実施形態では、直動切断装置３は、図６に示されるような、回転刃３１の周囲を覆う回転刃カバー部材３４を備えている。この場合には、直動切断装置３は、回転刃３１の周囲を覆う回転刃カバー部材３４を備えるので、回転刃３１により屋上スラブ２０を切断する際に生じる粉じんが、回転刃カバー部材３４の外部に飛散することを抑制することができる。
【００７３】
また、他の幾つかの実施形態では、直動切断装置３は、図１、３に示されるような、回転刃カバー部材３４と屋上スラブ２０の床面２０ａとの間を覆う第１カーテン部材３５を備えている。この場合には、回転刃３１により屋上スラブ２０を切断する際に生じる粉じんが、回転刃カバー部材３４と屋上スラブ２０の床面２０ａとの間から回転刃カバー部材３４の外部に飛散することを抑制することができる。
【００７４】
また、他の幾つかの実施形態では、吸引装置５は、図６、７に示されるような、回転刃カバー部材３４の下端における回転刃３１の移動方向の両側それぞれに設けられる第１吸引口５２ａを含んでいる。この場合には、吸引装置５は、回転刃３１の移動方向の両側それぞれに設けられる第１吸引口５２ａから粉じんを吸引することにより集じんを行う。ここで、回転刃３１により屋上スラブ２０の切断は上向き切削により行われるので、回転刃３１により屋上スラブ２０を切断する際に生じる粉じんは、回転刃３１の移動方向の進行側に大部分が生じる。これらの粉じんは、回転刃３１の移動方向の進行側に設けられる第１吸引口５２ａから吸引装置５により集じんされる。また、回転刃３１の移動方向の進行側に設けられる第１吸引口５２ａから吸引されなかった集じん、回転刃３１の進行方向に沿って屋上スラブ２０の切断縁近傍に生じた集じん、及び、回転刃カバー部材３４により飛散が抑制された集じんなどは、回転刃３１の移動方向の進行側とは反対側に設けられる第１吸引口５２ａから吸引装置５により集じんされる。特に、一対の第１吸引口５２ａは、いずれも回転刃カバー部材３４の下端に設けられているので、吸引装置５は、回転刃３１により生じる粉じんを即座に効率よく集じんすることができる。
【００７５】
また、他の幾つかの実施形態では、吸引装置５は、図５、８に示されるような、下段枠体カバー部材６に設けられる第２吸引口５３ａを含んでいる。この場合には、吸引装置５は、下段枠体カバー部材６に設けられる第２吸引口５３ａから回転刃３１により屋上スラブ２０を切断する際に生じる粉じんを吸引することにより集じんを行う。このため、屋上スラブ切断装置１は、粉じんが下段枠体２の外部に飛散することを抑制することができる。
【００７６】
また、他の幾つかの実施形態では、吸引装置５は、図１、３、７、８に示されるような、上述した吸引力発生装置５１を含んでいる。この場合には、吸引装置５は、第１吸引口５２ａや第２吸引口５３ａにおける吸引力を発生させる吸引力発生装置５１を含んでいるので、吸引力により第１吸引口５２ａや第２吸引口５３ａから粉じんを集じんすることができる。また、吸引力発生装置５１は、上段枠体４の内部に配置されるので、自重を回転刃３１が切削時に受ける反力に対抗させる力とすることができる。
【００７７】
また、他の幾つかの実施形態では、吸引装置５は、図１、２、３、７に示されるような、上述した第１集じん装置５４と、上述した第２集じん装置５５と、上述した第３集じん装置５６と、を含んでいる。この場合には、吸引装置５は、サイクロン式の第１集じん装置５４、フィルター式の第２集じん装置５５、エアフィルター式の第３集じん装置５６の順に三段階にわたって集じんを行うことができるので、吸引装置５から外部に排出される空気に含まれる集じんの量を少なくすることができる。また、第１集じん装置５４、第２集じん装置５５及び第３集じん装置５６は、上段枠体４の内部に配置されるので、これらの装置の自重を回転刃３１が切削時に受ける反力に対抗させる力とすることができる。
【００７８】
また、他の幾つかの実施形態では、吸引装置５は、図１、２、３、７に示されるような、上述した第１集じん装置５４と、上述した第２集じん装置５５と、上述した第３集じん装置５６と、を含んでいる。そして、第１集じん装置５４は、図７に示されるような、上述した第１集じん回収容器５４ｂを有している。さらに、第２集じん装置５５は、図７に示されるような、上述した第２集じん回収容器５５ｂを有している。この場合には、吸引装置５は、サイクロン式の第１集じん装置５４、フィルター式の第２集じん装置５５、エアフィルター式の第３集じん装置５６の順に三段階にわたって集じんを行う。そして、粉じんが溜まりやすい第１集じん装置５４や第２集じん装置５５は、着脱可能な第１集じん回収容器５４ｂや第２集じん回収容器５５ｂの内部に粉じんを溜めることができる。そして、第１集じん回収容器５４ｂや第２集じん回収容器５５ｂの内部に所定量の粉じんが溜まった場合には、作業者は、これらの集じん回収容器（第１集じん回収容器５４ｂや第２集じん回収容器５５ｂ）を新しいものに交換すればよいので、集じん回収容器の交換時に粉じんが第１集じん回収容器５４ｂや第２集じん回収容器５５ｂから外部に飛散することを防止することができる。
【００７９】
また、他の幾つかの実施形態では、下段枠体２は、図１、３に示されるような、複数の支持脚２２により屋上スラブ２０の床面２０ａ上に支持されている。そして、屋上スラブ切断装置１は、図１、３に示されるような、上述した第２カーテン部材７を備えている。この場合には、屋上スラブ切断装置１は、下段枠体カバー部材６と屋上スラブ２０の床面２０ａとの間を覆う第２カーテン部材７を備えるので、回転刃３１により屋上スラブ２０を切断する際に生じる粉じんが、下段枠体カバー部材６と屋上スラブ２０の床面２０ａとの間から下段枠体カバー部材６の外部に飛散することを抑制することができる。
【００８０】
図９は、本発明の一実施形態にかかる屋上スラブ切断装置の制御システムの構成図を概略的に示す概略図である。図１０は、本発明の一実施形態にかかる屋上スラブ切断装置における切削状況確認装置を説明するための説明図である。
【００８１】
他の幾つかの実施形態では、屋上スラブ切断装置１は、図９に示されるように、遠隔操作可能に構成されている。より具体的には、屋上スラブ切断装置１は、図１、２、９に示されるような、上段枠体４の内部に配置される制御盤８と、制御盤８の内部に配置される第１制御装置８１と、屋上スラブ切断装置１に設けられて、第１制御装置８１に接続される装置側無線装置８２（無線装置）と、上段枠体４の内部に配置される駆動力発生装置１１と、を備えている。また、屋上スラブ切断装置１とは離れた位置にある操作室９は、図９に示されるような、操作室９の内部に配置される第２制御装置９１と、操作室９に設けられて、第２制御装置９１に接続される操作室側無線装置９２と、操作室９の内部に配置されて、第２制御装置９１に接続される第２入出力装置９３と、を備えている。
【００８２】
駆動力発生装置１１は、直動切断装置３及び吸引装置５の駆動力を発生させるものであって、例えばディーゼル式の発電機やコンプレッサーなどを含むものである。装置側無線装置８２及び操作室側無線装置９２は、互いに離れた位置に配置されていても、互いに信号の送受信が可能に構成されている。第１制御装置８１及び第２制御装置９１のそれぞれは、図示しない信号入力部、信号出力部、記憶部、演算部等が設けられている。そして、第１制御装置８１は、直動切断装置３、吸引装置５及び駆動力発生装置１１に接続されている。
【００８３】
第１制御装置８１は、直動切断装置３、吸引装置５及び駆動力発生装置１１から送られる信号や、無線装置（装置側無線装置８２及び操作室側無線装置９２）を経由して、第２制御装置９１及び第２入出力装置９３から送られる信号などに基づいて、直動切断装置３、吸引装置５及び駆動力発生装置１１の制御を行うものである。また、第１制御装置８１は、無線装置（装置側無線装置８２及び操作室側無線装置９２）を経由して、第２制御装置９１及び第２入出力装置９３に信号を送るものである。上記の構成により、作業者は、屋上スラブ切断装置１から離れた操作室９において、第２入出力装置９３の操作を行うことにより、直動切断装置３、吸引装置５及び駆動力発生装置１１を遠隔操作することができる。
【００８４】
また、他の幾つかの実施形態では、屋上スラブ切断装置１は、図９に示されるように、第１制御装置８１に着脱可能に接続される第１入出力装置８３をさらに備えている。この場合には、作業者は、屋上スラブ切断装置１の近傍において、第１入出力装置８３の操作を行うことにより、直動切断装置３、吸引装置５及び駆動力発生装置１１を操作することができる。
【００８５】
また、他の幾つかの実施形態では、上述した直動切断装置３及び上述した吸引装置５は、遠隔操作可能に構成されている。そして、屋上スラブ切断装置１は、図９に示されるような、上述した装置側無線装置８２を備えている。この場合には、屋上スラブ切断装置１は、上段枠体４の内部に配置される装置側無線装置８２により直動切断装置３や吸引装置５を遠隔操作可能に構成されているので、作業者は屋上スラブ切断装置１から離れた所から遠隔操作により、屋上スラブ２０を切断することができる。このため、作業者の健康被害や作業環境の悪化を抑制することができる。
【００８６】
また、他の幾つかの実施形態では、屋上スラブ切断装置１は、図１〜３、９に示されるような、上述した駆動力発生装置１１を備えている。この場合には、屋上スラブ切断装置１は、直動切断装置３や吸引装置５の駆動力を発生させる駆動力発生装置１１を上段枠体４の内部に備えているので、屋上スラブ切断装置１は、例えば揚重機による搬送先において直動切断装置３や吸引装置５を駆動させることができる。上記の構成によれば、作業者は、屋上スラブ切断装置１が作業者から離れた遠隔地に配置された場合においても、直動切断装置３や吸引装置５を駆動させることができる。
【００８７】
また、他の幾つかの実施形態では、屋上スラブ切断装置１は、図１０に示されるような、回転刃３１による屋上スラブ２０の切削状況を確認するための切削状況確認装置１３をさらに備えている。そして、切削状況確認装置１３は、図１０に示されるような、回転刃３１の切削箇所近傍を撮影する撮像装置１３１と、回転刃３１の切削音を収集する集音装置１３２と、の少なくともいずれか一つを含んでいる。また、切削状況確認装置１３は、第１制御装置８１に接続されて、第１制御装置８１に撮像情報や切削音などの情報を送信可能になっている。この場合には、作業者は、屋上スラブ切断装置１から離れた所から切削状況確認装置１３により回転刃３１による屋上スラブ２０の切削状況を確認することができるので、遠隔操作により屋上スラブ２０を効率的に切断することができる。
【００８８】
図１１は、本発明の一実施形態にかかる屋上スラブ切断装置に連結される玉掛け装置の斜視図を概略的に示す概略斜視図である。図１２は、本発明の一実施形態にかかる屋上スラブ切断装置と玉掛け装置との連結を説明するための説明図である。
【００８９】
また、他の幾つかの実施形態では、上段枠体４は、図１〜３に示されるような、上段枠体４の上方に設けられて、上段枠体４と玉掛け装置１５との連結時において玉掛け装置１５の位置決めを行うガイド部４３と、上段枠体４の上方に設けられて、玉掛け装置１５との連結に用いられる開口４４ａを有する少なくとも一つの連結部４４と、を含んでいる。ここで、屋上スラブ切断装置１は、揚重機にワイヤ１４を用いて吊り下げられた玉掛け装置１５に着脱可能に連結固定されることにより、玉掛け装置１５と一緒に揚重機に吊り下げられて搬送可能なものである。
【００９０】
玉掛け装置１５は、図１１、１２に示されるような、中央部に四角孔１５ａを有する四角枠状に形成されている。そして、玉掛け装置１５は、図１１、１２に示されるような、四隅部の上面から上方に立接する板状のワイヤ取付部１５ｂが設けられている。そして、ワイヤ取付部１５ｂには、揚重機のワイヤ１４を取付けるための、厚さ方向に沿って貫通する貫通孔１５ｃが形成されている。また、玉掛け装置１５は、中空状に形成されており、互いに対向する二辺それぞれの内部であって両端部寄りの位置それぞれに連結装置１６の連結装置本体１６ｂが固定されている。そして、玉掛け装置１５は、四隅部の連結装置１６が設けられる側の側面及び下側が開口している。連結装置１６は、図１２に示されるような、棒状の先端部１６ａが連結装置本体１６ｂから離隔して玉掛け装置１５の隅部に向かう前進運動及び連結装置本体１６ｂに近付く後進運動が可能に構成されている。
【００９１】
上段枠体４のガイド部４３は、図１〜３に示されるような、水平方向における外形寸法が玉掛け装置１５の四角孔１５ａの内形形状よりも小さく形成されており、玉掛け装置１５の四角孔１５ａの内部に挿入可能に構成されている。そして、ガイド部４３は、図１〜３に示されるような、水平方向の四方それぞれに玉掛け装置１５を構成する四つの辺部それぞれを案内するための傾斜面４３ａを有している。このため、玉掛け装置１５は、上段枠体４上に載置される際に、ガイド部４３の４つの傾斜面４３ａに案内されて、四角孔１５ａの内部にガイド部４３が挿入されることにより上段枠体４との位置決めが行われる。
【００９２】
上段枠体４の連結部４４は、図１〜３に示されるような、上段枠体４の上面におけるガイド部４３の四隅部近傍それぞれから上方に立接する板状に形成されており、厚さ方向に沿って貫通する開口４４ａを有している。上段枠体４の連結部４４は、玉掛け装置１５が上段枠体４上に載置される際に、玉掛け装置１５の隅部の内部に挿入される。そして、上段枠体４は、連結部４４の開口４４ａに連結装置１６の先端部１６ａが挿入されることにより、玉掛け装置１５に着脱可能に連結されている。
【００９３】
また、他の幾つかの実施形態では、上段枠体４は、図１〜３に示されるような、上述したガイド部４３と上述した開口４４ａを有する連結部４４とを含んでいる。この場合には、上段枠体４は、玉掛け装置１５との連結時において玉掛け装置１５の位置決めを行うガイド部４３や、玉掛け装置１５との連結に用いられる開口４４ａを有する連結部４４を含むものであるので、屋上スラブ切断装置１と玉掛け装置１５との位置合わせや連結を容易に行うことができる。
【００９４】
また、他の幾つかの実施形態では、玉掛け装置１５は、遠隔操作可能に設けられている。より具体的には、玉掛け装置１５は、図１１に示されるような、駆動力発生装置１７及び制御盤１８をさらに備えている。そして、玉掛け装置１５は、制御盤１８の内部に、図９に示されるような上述した制御盤８の内部の構成と同様の構成を有している。すなわち、玉掛け装置１５は、制御盤１８の内部に、不図示の第１制御装置及び不図示の装置側無線装置をさらに備えている。この場合には、作業者は、屋上スラブ切断装置１が作業者から離れた遠隔地に配置された場合においても、玉掛け装置１５の取付け及び取外しを行うことができる。
【００９５】
本発明は上述した実施形態に限定されることはなく、上述した実施形態に変形を加えた形態や、これらの形態を適宜組み合わせた形態も含む。
【符号の説明】
【００９６】
１      屋上スラブ切断装置
２        下段枠体
２１        下段枠本体
２１ａ        縦枠部材
２１ｂ        横枠部材
２２        支持脚
２３        支持部材
３        直動切断装置
３１        回転刃
３２        回転刃駆動装置
３２ａ        回転刃支持部
３２ｂ        駆動源内蔵部
３２ｃ        回転軸
３２ｄ        ピニオン
３３        レール部材
３３ａ        ラック
３４        回転刃カバー部材
３５        第１カーテン部材
４        上段枠体
４１        上段枠本体
４１ａ        縦枠部材
４１ｂ        横枠部材
４２        支持脚
４３        ガイド部
４３ａ        傾斜面
４４        連結部
４４ａ        開口
５        吸引装置
５１        吸引力発生装置
５１ａ        ブロワー
５２        回転刃カバー側配管
５２ａ        第１吸引口
５３        下段枠体カバー側配管
５３ａ        第２吸引口
５４        第１集じん装置
５４ａ        第１集じん装置本体
５４ｂ        第１集じん回収容器
５５        第２集じん装置
５５ａ        第２集じん装置本体
５５ｂ        第２集じん回収容器
５６        第３集じん装置
５７        第４集じん装置
５８        第５集じん装置
５９        エアコンプレッサー
５ａ        差圧計
５ｂ        サイレンサー
６        下段枠体カバー部材
７        第２カーテン部材
８        制御盤
８１        第１制御装置
８２        装置側無線装置
８３        第１入出力装置
９      操作室
９１        第２制御装置
９２        操作室側無線装置
９３        第２入出力装置
１１      駆動力発生装置
１２      収納容器
１３    切削状況確認装置
１３１        撮像装置
１３２        集音装置
１４    ワイヤ
１５    玉掛け装置
１５ａ      四角孔
１５ｂ      ワイヤ取付部
１５ｃ      貫通孔
１６      連結装置
１６ａ      先端部
１７      駆動力発生装置
１８      制御盤
１９    屋上スラブ解体方法
２０    屋上スラブ
２０ａ    床面
【図１】
2019049152.tif 000003
【図２】
2019049152.tif 000004
【図３】
2019049152.tif 000005
【図４】
2019049152.tif 000006
【図５】
2019049152.tif 000007
【図６】
2019049152.tif 000008
【図７】
2019049152.tif 000009
【図８】
2019049152.tif 000010
【図９】
2019049152.tif 000011
【図１０】
2019049152.tif 000012
【図１１】
2019049152.tif 000013
【図１２】
2019049152.tif 000014